(57)【要約】【課題】水平、或いは垂直状態で設置した場合のいずれにおいても、簡単な構成で排出口から排出される媒体の印字面を容易に確認できるようにする。【解決手段】装置本体内に設けられ、媒体に印字する印字手段と、前記装置本体に設けられ、前記印字された媒体を排出させる排出口と、前記装置本体の設置姿勢を検出する検出手段と、この検出手段による前記装置本体の設置姿勢検出結果に基づいて前記排出口から排出される前記媒体の印字の向きを変更制御する制御手段とを具備する。【選択図】図１
2012179861.tif 000002
【特許請求の範囲】
【請求項１】
装置本体内に設けられ、媒体に印字する印字手段と、
前記装置本体に設けられ、前記印字された媒体を排出させる排出口と、
前記装置本体の設置姿勢を検出する検出手段と、
この検出手段による前記装置本体の設置姿勢検出結果に基づいて前記排出口から排出される前記媒体の印字の向きを変更制御する制御手段と
を具備することを特徴とするプリンタ装置。
【請求項２】
前記設置姿勢は、水平状態、或いは垂直状態であることを特徴とする請求項１記載のプリンタ装置。
【請求項３】
前記媒体は前記装置本体が水平状態で設置された場合には、文頭側を先頭にして排出され、垂直状態で設置された場合には、文末側を先頭にして排出されることを特徴とする請求項２記載のプリンタ装置。
【請求項４】
装置本体内に設けられ、媒体に印字する印字手段と、
前記装置本体に設けられ、前記印字された媒体を排出させる第１及び第２の排出口と、
前記装置本体の設置姿勢を検出する検出手段と、
前記第１及び第２の排出口の何れか一つを選択する選択手段と、
前記検出手段によって検出された前記装置本体の設置姿勢、及び前記選択手段によって選択された選択結果に基づいて前記媒体の印字の向きを変更制御する制御手段と
を具備することを特徴とするプリンタ装置。
【請求項５】
前記設置姿勢は、水平状態、或いは垂直状態であることを特徴とする請求項４記載のプリンタ装置。
【請求項６】
前記装置本体が水平な状態で設置されて前記第１の排出口から媒体を排出する場合には、文頭側を先頭にして排出し、前記第２の排出口から媒体を排出する場合には、文末側を先頭にして排出することを特徴とする請求項５記載のプリンタ装置。
【請求項７】
前記装置本体が垂直な状態で設置されて前記第１の排出口から媒体を排出する場合には、文末側を先頭にして排出し、前記第２の排出口から媒体を排出する場合には、文頭側を先頭にして排出することを特徴とする請求項５記載のプリンタ装置。
【請求項８】
前記印字手段は、両面印字機能を有し、前記装置本体が垂直な状態で設置されて前記第２の排出口から媒体を排出する場合には、前記媒体の裏面側に印字し、文末側を先頭にして排出することを特徴とする請求項５記載のプリンタ装置。
【発明の詳細な説明】
【技術分野】
【０００１】
本発明の実施形態は、例えば、ＰＯＳ端末に用いられるプリンタ装置に関する。
【背景技術】
【０００２】
ＰＯＳ端末には、例えば、テーブル上に水平な状態、或いは壁面に掛けられて垂直な状態で設置されるものが開発されている。
【０００３】
このＰＯＳ端末では、そのプリンタ装置により媒体に印字して発行するが、この媒体は装置本体の排出口から排出される。
【０００４】
しかしながら、従来においては、ＰＯＳ端末を水平な状態、或いは垂直な状態で設置した場合のいずれにおいても、排出口から排出される媒体の印字の向きが同じであったため、ＰＯＳ端末のいずいれか一方の設置状態においては、排出口から排出される媒体の印字の向きがオペレータから視て逆向きになり、印字面を確認しづらくなるという問題があった。
【先行技術文献】
【特許文献】
【０００５】
【特許文献１】特開平６−２３３０１８号公報
【発明の概要】
【発明が解決しようとする課題】
【０００６】
本発明が解決しようとする課題は、水平、或いは垂直のいずれの状態で設置した場合でも、簡単な構成で、排出口から排出される媒体の印字面を容易に確認できるようにしたプリンタ装置を提供することにある。
【課題を解決するための手段】
【０００７】
上記の課題を解決するために、実施の形態は、装置本体内に設けられ、媒体に印字する印字手段と、前記装置本体に設けられ、前記印字された媒体を排出させる排出口と、前記装置本体の設置姿勢を検出する検出手段と、この検出手段による前記装置本体の設置姿勢検出結果に基づいて前記排出口から排出される前記媒体の印字の向きを変更制御する制御手段とを具備する。
【図面の簡単な説明】
【０００８】
【図１】第１の実施形態であるＰＯＳ端末が水平な姿勢で設置された状態を示す斜視図。
【図２】図１のＰＯＳ端末が垂直な姿勢で設置された状態を示す図。
【図３】図１のＰＯＳ端末の内部構成を示すブロック図。
【図４】図３の印字部を示す構成図。
【図５】第２の実施形態であるＰＯＳ端末が水平な姿勢で設置された状態を示す斜視図。
【図６】図５のＰＯＳ端末が垂直な姿勢で設置された状態を示す図。
【図７】図５のＰＯＳ端末の内部構成を示すブロック図。
【図８】図７の印字部及び切換ゲートを示す構成図。
【図９】第３の実施形態であるＰＯＳ端末が垂直な姿勢で設置された状態を示す斜視図。
【発明を実施するための形態】
【０００９】
以下、実施形態を図面を参照して詳細に説明する。
【００１０】
（第１の実施形態）
図１は、第１の実施の形態であるプリンタ装置を備えるＰＯＳ端末を示す斜視図である。このＰＯＳ端末は、図１に示すように水平な姿勢でテーブル上に設置されたり、或いは、図２に示すように垂直な姿勢で壁掛けされて使用される。
【００１１】
ＰＯＳ端末は装置本体１を備え、この装置本体１の上面部にはタッチパネル式の表示部２が設けられている。また、装置本体１の側面部には印字された媒体としての例えばレシート３を排出するための排出口５が設けられている。
【００１２】
一方、装置本体１内には、図３に示すように検出手段としての検出部６が設けられ、この検出部６には制御手段としての制御部７が接続され、制御部７には制御回路を介して印字手段としての印字部９が接続されている。
【００１３】
検出部６としては、チルト検知センサや、押下スイッチなどが用いられ、装置本体１の設置姿勢を検知する。
【００１４】
印字部９は図４に示すように、印字ヘッド１０とこの印字ヘッド１０に対向配置されるプラテンローラ１１とによって構成されている。媒体としての用紙Ｐは印字ヘッド１０とプラテンローラ１１との間に介在され、プラテンローラ１１の回転によりロール紙１３から引き出されて搬送される。印字ヘッド１０は、上記したタッチパネル式の表示部２のタッチ操作に基づいて情報を用紙Ｐに印字する。
【００１５】
印字部９の用紙搬送方向下流側には、用紙Ｐを所定寸法に切断するカッタ部１４が設けられている。カッタ部１４でカットされた用紙Ｐはレシート３として排出口５から排出される。
【００１６】
制御部７は検出部６で検出された装置本体１の設置姿勢に基づいて印字部９の印字動作を制御するものである。
【００１７】
即ち、制御部７は、検出部６で検出された装置本体１の設置姿勢が水平状態である場合には、印字ヘッド１０による用紙Ｐに対する印字を文頭３ａ側から開始するように制御し、装置本体１の設置姿勢が垂直状態である場合は、文末３ｂ側から印字を開始するように反転制御するようになっている。
【００１８】
次に、ＰＯＳ端末の使用方法について説明する。
【００１９】
ＰＯＳ端末が図１に示すように水平に設置された場合には、検出部６でＰＯＳ端末の設置姿勢が水平状態であることが検知される。この状態から、タッチパネル式の表示部２がタッチ操作されることにより、印字動作が開始される。このとき、制御部７は、用紙Ｐに対し印字ヘッド１０により文頭３ａ側から印字を開始させる。そして、印字が終了すると、用紙Ｐは所定寸法にカットされてレシート３として装置本体１の排出口５から文頭３ａ側を先頭として排出される。
【００２０】
また、ＰＯＳ端末が図２に示すように垂直に設置された場合には、検出部６でＰＯＳ端末の設置姿勢が垂直状態であることが検知される。この状態から、タッチパネル式の表示部２がタッチ操作されることにより、印字動作が開始される。このとき、制御部７は、用紙Ｐに対し印字ヘッド１０により文末３ｂ側から印字を開始させる。そして、印字が終了すると、用紙Ｐは所定寸法にカットされてレシート３として装置本体１の排出口５から文末３ｂ側を先頭として下方に排出される。
【００２１】
このように、第１に実施の形態によれば、ＰＯＳ端末の設置状態に応じて用紙Ｐに対する印字の向きを反転制御してレシート３を文頭３ａ側、或いは文末３ｂ側を先頭として排出口５から排出するため、ＰＯＳ端末の設置状態に係わらず、オペレータにとってレシート３の印字面を容易に確認できる利点がある。
【００２２】
また、ＰＯＳ端末の設置状態を検出部６が検出するのに基づいて自動的に印字の向きを反転制御するため、特別にコマンドを送信するといった必要がなく、制御系を簡略化できる。
【００２３】
なお、ＰＯＳ端末を水平状態で設置した場合にはレシートを発行し、垂直状態で設置した場合には、レシートの代わりに領収書を発行したり、キッチンへの注文書を発行するようにしてもよい。
【００２４】
（第２の実施の形態）
図５は、図６は本発明の第２の実施の形態を示すものである。
【００２５】
図５は、ＰＯＳ端末を水平な姿勢で設置した状態を示し、図６は、ＰＯＳ端末を垂直な姿勢で設置した状態を示す。
【００２６】
なお、上記した第１の実施の形態で説明した部分と同一部分については、同一番号を付してその説明を省略する。
【００２７】
上記した第１の実施の形態では、排出口５を一個のみ設けたが、この第２の実施の形態では、装置本体１の一側面部に第１の排出口２１、他側面部に第２の排出口２２が配設されている。
【００２８】
また、図７に示すように、装置本体１には切換ゲート２５が設けられ、タッチパネル式の表示部２には排出口を選択するための選択手段としての選択釦２４が設けられている。切換ゲート２５は図８に示すように印字部９の媒体搬送方向下流側に設けられ、選択釦２４の操作に基づき、媒体の搬送方向を矢印ａ或いはｂ方向に切り替えて第１の排出口２１、或いは第２の排出口２２にレシート３を案内するものである。
【００２９】
次に、ＰＯＳ端末の使用方法について説明する。
【００３０】
ＰＯＳ端末が図５に示すように水平に設置されると、検出部６によりＰＯＳ端末の設置姿勢が水平状態であることが検知される。この状態からタッチパネル式の表示部２をタッチ操作するとともに、選択釦２４をタッチ操作して媒体を排出するための排出口として例えば、第１の排出口２１を選択する。これにより、印字動作が開始されるとともに、検出部６の検知に基づいて制御部７は、印字ヘッド１０により用紙Ｐに対し文頭３ａ側から印字を開始させる。そして、印字が終了すると、用紙Ｐは所定寸法にカットされてレシート３として装置本体１の第１の排出口２１から文頭３ａ側を先頭として排出される。
【００３１】
また、選択釦２４により第２の排出口２２が選択された場合には、印字ヘッド１０により用紙Ｐに対し文末３ｂ側から印字を開始させる。そして、印字が終了すると、用紙Ｐは所定寸法にカットされてレシート３として装置本体１の第２の排出口２２から文末３ｂ側を先頭として排出される。
【００３２】
一方、ＰＯＳ端末が図６に示すように垂直に設置されると、検出部６によりＰＯＳ端末の設置姿勢が垂直状態であることが検知される。この状態からタッチパネル式の表示部２をタッチ操作するとともに、選択釦２４をタッチ操作して媒体を排出するための排出口として例えば、第１の排出口２１を選択する。これにより、印字動作が開始されるとともに、検出部６の検知に基づいて制御部７は、印字ヘッド１０により用紙Ｐに対し文末３ｂ側から印字を開始させる。そして、印字が終了すると、用紙Ｐは所定寸法にカットされてレシート３として装置本体１の第１の排出口２１から文末３ｂ側を先頭として下方に排出される。
【００３３】
また、選択釦２４により第２の排出口２２が選択された場合には、印字ヘッド１０により用紙Ｐに対し文頭３ａ側から印字を開始させる。そして、印字が終了すると、用紙Ｐは所定寸法にカットされてレシート３として装置本体１の第２の排出口２２から文頭３ａ側を先頭として上方に排出される。
【００３４】
この第２の実施の形態によれば、第１及び第２の排出口２１．２２を選択してレシート３を排出できるため、オペレータの希望する場所にレシート３を取り出すことができ、レシート３の取り扱いが容易になる。
【００３５】
また、選択された排出口２１（または２２）に応じて、排出口から排出されるレシート３の印字の向きを反転制御するため、第１及び第２の排出口２１，２２のいずれから取り出した場合でも、印字面を容易に確認できる。
【００３６】
なお、図５に想像線で示すように、第２の排出口２２から文末３ｂ側を先頭にしてレシ−ト３を発行した場合には、顧客に渡し易い印字の向きとなり、便利である。
【００３７】
（第３の実施の形態）
図９は、第３の実施の形態を示すものである。
【００３８】
なお、第２の実施の形態で示した部分と同一部分については、同一番号を付してその詳細な説明を省略する。
【００３９】
この第３の実施の形態では、印字部が両面印刷可能になっており、ＰＯＳ端末が図９に示すように、垂直な状態で設置され、排出口として第２の排出口２２が選択された場合には、用紙Ｐの裏面側に文末側から印字を開始する。そして、印字が終了すると、レシート３として装置本体１の第２の排出口２２から文末３ｂ側を先頭として排出し、この排出されるレシート３は反転されてその印字面を表向きにしてタッチパネル式の表示部２の前面側に垂れ下がる。
【００４０】
この第３の実施の形態によれば、装置本体１の第２の排出口２２から排出されるレシート３が垂れ下がった場合でも、その印字内容を容易に確認できる利点がある。
【００４１】
なお、上記した実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４２】
１…装置本体、Ｐ…用紙（媒体）、５…排出口、６…検出部（検出手段）、７…制御部（制御手段）、９…印字部（印字手段）、２１，２２…第１及び第２の排出口、２４…選択釦（選択手段）。
【図１】
2012179861.tif 000003
【図２】
2012179861.tif 000004
【図３】
2012179861.tif 000005
【図４】
2012179861.tif 000006
【図５】
2012179861.tif 000007
【図６】
2012179861.tif 000008
【図７】
2012179861.tif 000009
【図８】
2012179861.tif 000010
【図９】
2012179861.tif 000011